(57)【要約】      （修正有）【課題】より多くの種類の錠箱に対応したダミーシリンダを提供する。【解決手段】錠箱に取り付けられるダミーシリンダ１１であって、上底および下底１１ａを備える円錐台形状または円柱形状に形成されるとともに、下底がキーシリンダ取付部に配置可能な形状に構成されている。ダミーシリンダ１１は、下底１１ａに、螺合固定部１２ａ〜１２ｄが複数設けられている。各螺合固定部１２ａ〜１２ｄは、２つの雄ネジ部と螺合可能に構成された２つの雌ネジ部１２ａ１〜１２ｄ２を備える。複数の螺合固定部１２ａ〜１２ｄは、それぞれ、２つの雌ネジ部どうしの間隔寸法Ｗ１〜Ｗ４および雌ネジ部の谷部の内径寸法のうち少なくとも一方が、他の螺合固定部１２ａ〜１２ｄとは異なるように構成されている。【選択図】図２
0003222562.tif 000002
【実用新案登録請求の範囲】
【請求項１】
錠箱に取り付けられるダミーシリンダであって、
前記錠箱は、キーシリンダを取り付けるためのキーシリンダ取付部を備え、前記キーシリンダ取付部は、２つの雄ネジ部を備えており、
当該ダミーシリンダは、上底および下底を備える円錐台形状または円柱形状に形成されるとともに、前記下底が前記キーシリンダ取付部に配置可能な形状に構成されており、
前記下底に、前記２つの雄ネジ部と螺合可能に構成された２つの雌ネジ部を備える螺合固定部が複数設けられており、
前記複数の螺合固定部は、それぞれ、前記２つの雌ネジ部どうしの間隔寸法および前記雌ネジ部の谷部の内径寸法のうち少なくとも一方が、他の前記螺合固定部とは異なるように構成されている、
ダミーシリンダ。
【請求項２】
請求項１に記載のダミーシリンダであって、
前記２つの雌ネジ部は、互いの中間点が前記下底の円形中心部に位置するように配置されており、
前記複数の螺合固定部は、互いに、前記円形中心部を中心とする周方向における前記２つの雌ネジ部の配置位置が異なるように構成されている、
ダミーシリンダ。
【請求項３】
請求項１または請求項２に記載のダミーシリンダであって、
前記複数の螺合固定部は、３個以上の前記螺合固定部を備えている、
ダミーシリンダ。
【請求項４】
請求項１から請求項３までのうちいずれか一項に記載のダミーシリンダであって、
当該ダミーシリンダの内部空間として形成される空洞部であって、前記下底の中央部のみで開口する構成の空洞部を備える、
ダミーシリンダ。
【請求項５】
請求項１から請求項４までのうちいずれか一項に記載のダミーシリンダであって、
前記上底は、直径が３５ｍｍ〜４８ｍｍの範囲内の円形であり、
前記下底は、直径が３５ｍｍ〜４８ｍｍの範囲内の円形であり、
前記上底から前記下底までの厚さ寸法は、１０ｍｍ〜３３ｍｍの範囲内である、
ダミーシリンダ。
【請求項６】
請求項１から請求項５までのうちいずれか一項に記載のダミーシリンダであって、
前記複数の螺合固定部は、
前記２つの雌ネジ部の中心どうしの間隔寸法が２１ｍｍで、前記２つの雌ネジ部のそれぞれの谷部の内径寸法が４ｍｍである第１螺合固定部と、
前記２つの雌ネジ部の中心どうしの間隔寸法が２６ｍｍで、前記２つの雌ネジ部のそれぞれの谷部の内径寸法が５ｍｍである第２螺合固定部と、
前記２つの雌ネジ部の中心どうしの間隔寸法が２１ｍｍで、前記２つの雌ネジ部のそれぞれの谷部の内径寸法が５ｍｍである第３螺合固定部と、
前記２つの雌ネジ部の中心どうしの間隔寸法が２５ｍｍで、前記２つの雌ネジ部のそれぞれの谷部の内径寸法が５ｍｍである第４螺合固定部と、
のうち少なくとも２つを備える、
ダミーシリンダ。
【考案の詳細な説明】
【技術分野】
【０００１】
本開示は、錠箱に取り付けられるダミーシリンダに関する。
【背景技術】
【０００２】
錠箱として、キーシリンダを取り付けるためのキーシリンダ取付部と、サムターンを取り付けるためのサムターン取付部と、を備えるものがある。錠箱は、例えば、扉などに備えられて防犯用途などに使用される。
【０００３】
このような錠箱に対して、サムターン取付部に制御部を設け、キーシリンダ取付部にダミーシリンダを設けた上で、ＩＣカードなどを用いて施錠操作および解錠操作を行う電子式ドアロックが提案されている（特許文献１）。
【０００４】
ダミーシリンダは、例えば、錠箱に備えられた２つの雄ネジ部に螺合可能に形成された２つの雌ネジ部を備えることで、錠箱に取り付け可能に構成されている。
【先行技術文献】
【特許文献】
【０００５】
【特許文献１】特許第５６７９７０８号公報
【考案の概要】
【考案が解決しようとする課題】
【０００６】
しかしながら、２つの雄ネジ部の形態（雄ネジ部の外径寸法、２つの雄ネジ部どうしの間隔寸法など）は錠箱の種類によって異なるため、複数種類の錠箱のそれぞれに応じた複数種類のダミーシリンダを用意する必要がある。つまり、複数種類の錠箱に応じて、２つの雌ネジ部の形態（雌ネジ部の谷部の内径寸法、２つの雌ネジ部どうしの間隔寸法など）が異なる複数種類のダミーシリンダを用意する必要がある。
【０００７】
このため、世の中で用いられる膨大な種類の錠箱に対応するためには、膨大な種類のダミーシリンダを用意する必要がある。
そこで、本開示の一局面においては、より多くの種類の錠箱に対応したダミーシリンダを提供できることが望ましい。
【課題を解決するための手段】
【０００８】
本開示の一態様は、錠箱に取り付けられるダミーシリンダであって、上底および下底を備える円錐台形状または円柱形状に形成されるとともに、下底がキーシリンダ取付部に配置可能な形状に構成されたダミーシリンダである。
【０００９】
錠箱は、キーシリンダを取り付けるためのキーシリンダ取付部を備える。キーシリンダ取付部は、２つの雄ネジ部を備えている。
ダミーシリンダは、下底に、螺合固定部が複数設けられている。螺合固定部は、２つの雄ネジ部と螺合可能に構成された２つの雌ネジ部を備える。
【００１０】
複数の螺合固定部は、それぞれ、２つの雌ネジ部どうしの間隔寸法および雌ネジ部の谷部の内径寸法のうち少なくとも一方が、他の前記螺合固定部とは異なるように構成されている。
【００１１】
このダミーシリンダは、複数種類の螺合固定部を備えるため、２つの雄ネジ部どうしの間隔寸法および雄ネジ部の外径寸法のうち少なくとも一方が異なる複数種類のキーシリンダ取付部に対して取付可能となる。このダミーシリンダを用いることで、種類の異なるキーシリンダ取付部ごとに異なる種類のダミーシリンダを用意する必要がなくなる。
【００１２】
よって、このダミーシリンダによれば、複数種類のダミーシリンダを用意することなく、複数種類の錠箱に取付可能なダミーシリンダを実現できる。
なお、２つの雄ネジ部は、キーシリンダと螺合する２つの雄ネジ部であってもよい。あるいは、２つの雄ネジ部は、アタッチメントを介してダミーシリンダと螺合する２つの雄ネジ部であってもよい。
【００１３】
次に、上述のダミーシリンダにおいては、２つの雌ネジ部は、互いの中間点が下底の円形中心部に位置するように配置されてもよい。複数の螺合固定部は、互いに、円形中心部を中心とする周方向における２つの雌ネジ部の配置位置が異なるように構成されてもよい。
【００１４】
このダミーシリンダは、下底の円形中心部を中心として回転させて、キーシリンダ取付部に対する相対位置を変更することで、キーシリンダ取付部の２つの雄ネジ部に対向する螺合固定部（２つの雌ネジ部）の種類を簡便に変更できる。
【００１５】
次に、上述のダミーシリンダにおいては、複数の螺合固定部は、３個以上の螺合固定部を備えてもよい。このダミーシリンダは、３個以上の錠箱に対応するため、少なくとも３種類の錠箱に適用でき、広い用途での使用が可能となる。
【００１６】
次に、上述のダミーシリンダにおいては、ダミーシリンダの内部空間として形成される空洞部であって、下底の中央部のみで開口する構成の空洞部を備えてもよい。
ダミーシリンダは、このような空洞部を備えることで、上底から空洞部までの厚さ寸法は、上底から下底までの寸法よりも小さくなる。このようなダミーシリンダは、非常時に上底からドリルなどで穴開けする場合に、穴開けが必要な厚さ寸法が小さくなるため、非常時の穴あけ作業の負担を軽減できる。
【００１７】
次に、上述のダミーシリンダにおいては、上底は、直径が３５ｍｍ〜４８ｍｍの範囲内の円形であってもよく、下底は、直径が３５ｍｍ〜４８ｍｍの範囲内の円形であってもよく、上底から下底までの厚さ寸法は、１０ｍｍ〜３３ｍｍの範囲内であってもよい。
【００１８】
このダミーシリンダは、上底の直径、下底の直径、厚さ寸法のそれぞれを、上記の各数値範囲に規定することで、設置可能なキーシリンダ取付部が多くなり、多くの錠箱に対応可能なダミーシリンダとなる。
【００１９】
次に、上述のダミーシリンダにおいては、複数の螺合固定部は、第１螺合固定部と、第２螺合固定部と、第３螺合固定部と、第４螺合固定部と、のうち少なくとも２つを備えてもよい。第１螺合固定部は、２つの雌ネジ部の中心どうしの間隔寸法が２１ｍｍで、２つの雌ネジ部のそれぞれの谷部の内径寸法が４ｍｍである。第２螺合固定部は、２つの雌ネジ部の中心どうしの間隔寸法が２６ｍｍで、２つの雌ネジ部のそれぞれの谷部の内径寸法が５ｍｍである。第３螺合固定部は、２つの雌ネジ部の中心どうしの間隔寸法が２１ｍｍで、２つの雌ネジ部のそれぞれの谷部の内径寸法が５ｍｍである。第４螺合固定部は、２つの雌ネジ部の中心どうしの間隔寸法が２５ｍｍで、２つの雌ネジ部のそれぞれの谷部の内径寸法が５ｍｍである。
【００２０】
これらの第１螺合固定部から第４螺合固定部は、それぞれ世の中での流通量の多い錠箱（詳細には、２つの雄ネジ部）に対応しており、これらのうち少なくとも２つを備えることで、多くの錠箱に対応可能なダミーシリンダを実現できる。
【図面の簡単な説明】
【００２１】
【図１】ダミーシリンダが取り付けられる電子式ドアロック装置の分解斜視図である。
【図２】ダミーシリンダの下底側から見た外観図である。
【図３】ダミーシリンダの側面からみた外観図である。
【図４】第２雄ネジを用いてダミーシリンダが取り付けられる電子式ドアロック装置の分解斜視図である。
【図５】第３雄ネジを用いてダミーシリンダが取り付けられる機械式ドアロック装置の分解斜視図である。
【考案を実施するための形態】
【００２２】
以下に本開示の実施形態を図面と共に説明する。
［１．第１実施形態］
［１−１．全体構成］
図１に示すように、本実施形態のダミーシリンダ１１は、電子式ドアロック装置２０の錠箱２１に取り付け可能に構成されている。電子式ドアロック装置２０は、扉３１に設けられて防犯用途などに用いられる。図１では、扉３１のうち電子式ドアロック装置２０が備えられる一部を図示している。
【００２３】
電子式ドアロック装置２０は、ダミーシリンダ１１，錠箱２１、室外側ハンドル３３、室内側ハンドル３４、電子ロック装置４１を備える。
錠箱２１は、錠箱本体部２２と、アタッチメント２５と、２つの雄ネジ２７と、２つの長尺ピン２９と、を備える。
【００２４】
錠箱本体部２２は、扉３１の内部に配置される。錠箱本体部２２は、室外側に設けられるキーシリンダ取付部２３と、室内側に設けられるサムターン取付部（図示省略）と、を備える。
【００２５】
キーシリンダ取付部２３は、錠箱本体部２２のうち、扉３１に設けられた開口部３５に対応する位置に形成されている。キーシリンダ取付部２３は、アタッチメント２５を配置可能に構成されている。
【００２６】
アタッチメント２５は、２つの長尺ピン２９をそれぞれ挿通するための２つの貫通穴２５ａを備えている。アタッチメント２５は、２つの雄ネジ２７をそれぞれ挿通するための２つの貫通穴２５ｂを備えている。アタッチメント２５は、キーシリンダ取付部２３に配置された状態で、錠箱本体部２２に挿通された２つの長尺ピン２９がそれぞれ２つの貫通穴２５ａに挿通されることで、錠箱本体部２２に固定される。
【００２７】
２つの雄ネジ２７は、アタッチメント２５の２つの貫通穴２５ｂに挿通された状態で、ダミーシリンダ１１と螺合可能に構成された２つの雄ネジ部である。
ダミーシリンダ１１は、２つの雄ネジ２７によってアタッチメント２５に固定されることで、アタッチメント２５が設けられたキーシリンダ取付部２３に取付可能に構成されている。ダミーシリンダ１１の詳細は、後述する。
【００２８】
室外側ハンドル３３および室内側ハンドル３４は、それぞれ錠箱本体部２２に連結されている。錠箱本体部２２は、室外側ハンドル３３または室内側ハンドル３４の回動操作により、突出寸法を変更可能に構成されたラッチ２２ａを備える。
【００２９】
電子ロック装置４１は、電子操作部４１ａ、ケーブル４３、コネクタ４５、電動サムターン部（図示省略）を備える。電子操作部４１ａは、ケーブル４３およびコネクタ４５を介して電動サムターン部（図示省略）と電気的に接続される。電動サムターン部は、扉３１の室内側に設けられるとともに、錠箱本体部２２に連結されている。
【００３０】
錠箱本体部２２は、電子操作部４１ａによる電動サムターン部（図示省略）の回動動作により、突出寸法を変更可能に構成されたデッドボルト２２ｂを備える。
電子操作部４１ａは、ボタン操作による解錠コードの入力操作や、予め登録されたＩＣカードのタッチ操作などによって、デッドボルト２２ｂの突出寸法を変更することで、扉３１の解錠操作または施錠操作が可能に構成されている。
【００３１】
［１−２．ダミーシリンダ］
ダミーシリンダ１１は、錠箱２１に取り付けられる。詳細には、ダミーシリンダ１１は、２つの雄ネジ２７によってアタッチメント２５に固定されることで、キーシリンダ取付部２３に取付可能に構成されている。
【００３２】
図１、図２、図３に示すように、ダミーシリンダ１１は、下底１１ａおよび上底１１ｂを備える円錐台形状に形成されている。ダミーシリンダ１１は、下底１１ａが、アタッチメント２５が設けられたキーシリンダ取付部２３に配置可能な形状に構成されている。
【００３３】
下底１１ａは、直径Ｌ１がＬ１＝４０ｍｍの円形である。上底１１ｂは、直径Ｌ２がＬ２＝３５ｍｍの円形である。下底１１ａから上底１１ｂまでの厚さ寸法Ｈ１は、Ｈ１＝１５ｍｍである。
【００３４】
ダミーシリンダ１１は、下底１１ａに、複数の螺合固定部１２ａ〜１２ｄを備える。複数の螺合固定部１２ａ〜１２ｄは、第１螺合固定部１２ａ、第２螺合固定部１２ｂ、第３螺合固定部１２ｃ、第４螺合固定部１２ｄを備える。
【００３５】
第１螺合固定部１２ａは、２つの雄ネジ２７と螺合可能に構成された２つの雌ネジ部１２ａ１，１２ａ２を備える。第２螺合固定部１２ｂは、他の２つの雄ネジ部（図示省略）と螺合可能に構成された２つの雌ネジ部１２ｂ１，１２ｂ２を備える。第３螺合固定部１２ｃは、他の２つの雄ネジ部（図示省略）と螺合可能に構成された２つの雌ネジ部１２ｃ１，１２ｃ２を備える。第４螺合固定部１２ｄは、他の２つの雄ネジ部（図示省略）と螺合可能に構成された２つの雌ネジ部１２ｄ１，１２ｄ２を備える。
【００３６】
第１螺合固定部１２ａにおいては、２つの雌ネジ部１２ａ１，雌ネジ部１２ａ２どうしの間隔寸法Ｗ１はＷ１＝２１ｍｍであり、雌ネジ部１２ａ１，１２ａ２の谷部の内径寸法Ｄ１は４ｍｍである。雌ネジ部１２ａ１，１２ａ２のネジ溝は、それぞれＭ４タップ（ＪＩＳ）を用いて形成されている。
【００３７】
第２螺合固定部１２ｂにおいては、２つの雌ネジ部１２ｂ１，雌ネジ部１２ｂ２どうしの間隔寸法Ｗ２はＷ２＝２６ｍｍであり、雌ネジ部１２ｂ１，１２ｂ２の谷部の内径寸法Ｄ２は５ｍｍである。雌ネジ部１２ｂ１，１２ｂ２のネジ溝は、それぞれＭ５タップ（ＪＩＳ）を用いて形成されている。
【００３８】
第３螺合固定部１２ｃにおいては、２つの雌ネジ部１２ｃ１，雌ネジ部１２ｃ２どうしの間隔寸法Ｗ３はＷ３＝２１ｍｍであり、雌ネジ部１２ｃ１，１２ｃ２の谷部の内径寸法Ｄ３は５ｍｍである。雌ネジ部１２ｃ１，１２ｃ２のネジ溝は、それぞれＭ５タップ（ＪＩＳ）で形成されている。
【００３９】
第４螺合固定部１２ｄにおいては、２つの雌ネジ部１２ｄ１，雌ネジ部１２ｄ２どうしの間隔寸法Ｗ４はＷ４＝２５ｍｍであり、雌ネジ部１２ｄ１，１２ｄ２の谷部の内径寸法Ｄ４は５ｍｍである。雌ネジ部１２ｄ１，１２ｄ２のネジ溝は、それぞれＭ５タップ（ＪＩＳ）で形成されている。
【００４０】
つまり、複数の螺合固定部１２ａ〜１２ｄは、それぞれ、２つの雌ネジ部どうしの間隔寸法Ｗ１〜Ｗ４および雌ネジ部の谷部の内径寸法Ｄ１〜Ｄ４のうち少なくとも一方が、他の螺合固定部１２ａ〜１２ｄとは異なるように構成されている。
【００４１】
第１螺合固定部１２ａにおける２つの雌ネジ部１２ａ１，雌ネジ部１２ａ２は、互いの中間点が下底１１ａの円形中心部１１ａ１に位置するように配置されている。同様に、第２螺合固定部１２ｂにおける２つの雌ネジ部１２ｂ１，雌ネジ部１２ｂ２と、第３螺合固定部１２ｃにおける２つの雌ネジ部１２ｃ１，雌ネジ部１２ｃ２と、第４螺合固定部１２ｄにおける２つの雌ネジ部１２ｄ１，雌ネジ部１２ｄ２と、についても、それぞれ、互いの中間点が下底１１ａの円形中心部１１ａ１に位置するように配置されている。
【００４２】
複数の螺合固定部１２ａ〜１２ｄは、互いに、円形中心部１１ａ１を中心とする周方向における２つの雌ネジ部の配置位置が異なるように構成されている。
具体的には、第１螺合固定部１２ａと第２螺合固定部１２ｂとは、円形中心部１１ａ１を中心とする周方向において、２つの雌ネジ部１２ａ１，１２ａ２と２つの雌ネジ部１２ｂ１，１２ｂ２とが４５度だけ配置位置が異なるように構成されている。同様に、第２螺合固定部１２ｂと第３螺合固定部１２ｃ、第３螺合固定部１２ｃと第４螺合固定部１２ｄ、第４螺合固定部１２ｄと第１螺合固定部１２ａについても、それぞれ、円形中心部１１ａ１を中心とする周方向において４５度だけ配置位置が異なるように構成されている。
【００４３】
ダミーシリンダ１１は、空洞部１４を備える。空洞部１４は、ダミーシリンダ１１の内部空間として形成される空洞部であって、下底１１ａの中央部のみで開口する構成である。空洞部１４は、直径寸法Ｌ３がＬ＝１３ｍｍで、深さ寸法Ｈ２がＨ２＝１０ｍｍの円柱形状に形成された空間である。
【００４４】
［１−３．効果］
以上説明したように、本実施形態のダミーシリンダ１１は、複数種類（４種類）の螺合固定部１２ａ〜１２ｄを備えるため、２つの雄ネジ部どうしの間隔寸法Ｗ１〜Ｗ４および雄ネジ部の外径寸法のうち少なくとも一方が異なる複数種類（４種類）のキーシリンダ取付部２３に対して取付可能となる。ダミーシリンダ１１を用いることで、種類の異なるキーシリンダ取付部２３ごとに異なる種類のダミーシリンダを用意する必要がなくなる。
【００４５】
よって、ダミーシリンダ１１によれば、複数種類のダミーシリンダを用意することなく、複数種類の錠箱２１に取付可能なダミーシリンダを実現できる。
次に、本実施形態のダミーシリンダ１１においては、複数の螺合固定部１２ａ〜１２ｄは、互いに、円形中心部１１ａ１を中心とする周方向における２つの雌ネジ部１２ａ１，１２ａ２、１２ｂ１，１２ｂ２、１２ｃ１，１２ｃ２、１２ｄ１，１２ｄ２の配置位置が異なるように構成されている。
【００４６】
このダミーシリンダ１１は、下底１１ａの円形中心部１１ａ１を中心として回転させて、キーシリンダ取付部２３に対する相対位置を変更することで、キーシリンダ取付部２３の２つの雄ネジ２７に対向する螺合固定部（２つの雌ネジ部）の種類を簡便に変更できる。
【００４７】
次に、ダミーシリンダ１１は、複数の螺合固定部１２ａ〜１２ｄとして、３個以上の螺合固定部を備えており、３個以上の錠箱に対応可能である。よって、ダミーシリンダ１１は、少なくとも３種類の錠箱に適用でき、広い用途での使用が可能となる。
【００４８】
次に、ダミーシリンダ１１は、空洞部１４を備えることで、上底１１ｂから空洞部１４までの厚さ寸法（＝Ｈ１−Ｈ２）は、上底１１ｂから下底１１ａまでの高さ寸法Ｈ１よりも小さくなる。このようなダミーシリンダ１１は、非常時に上底１１ｂからドリルなどで穴開けする場合に、穴開けが必要な厚さ寸法が小さくなるため、非常時の穴あけ作業の負担を軽減できる。
【００４９】
［１−４．文言の対応関係］
ここで、文言の対応関係について説明する。
ダミーシリンダ１１がダミーシリンダの一例に相当し、第１螺合固定部１２ａ，第２螺合固定部１２ｂ，第３螺合固定部１２ｃ，第４螺合固定部１２ｄが複数の螺合固定部の一例に相当する。
【００５０】
［２．他の実施形態］
以上、本開示の実施形態について説明したが、本開示は上記実施形態に限定されるものではなく、本開示の要旨を逸脱しない範囲において、様々な態様にて実施することが可能である。
【００５１】
（１）上記実施形態では、ダミーシリンダ１１の取付形態として、アタッチメント２５が設けられたキーシリンダ取付部２３に取付けられる形態について説明したが、このような取付形態に限られることはない。例えば、図４に示す第２電子式ドアロック装置５０への取付形態のように、ダミーシリンダ１１の取付形態は、アタッチメントを用いることなく、２つの第２雄ネジ５７を用いてキーシリンダ取付部に取り付けられる取付形態であってもよい。
【００５２】
第２電子式ドアロック装置５０に備えられる第２錠箱５１は、第２錠箱本体部５２と、２つの第２雄ネジ５７と、を備える。第２錠箱本体部５２は、扉３１の内部に配置される。第２錠箱本体部５２は、室外側に設けられる第２キーシリンダ取付部５３と、室内側に設けられるサムターン取付部（図示省略）と、を備える。
【００５３】
第２キーシリンダ取付部５３は、第２錠箱本体部５２のうち、扉３１に設けられた開口部３５に対応する位置に形成されている。第２錠箱本体部５２は、第２キーシリンダ取付部５３において、２つの第２雄ネジ５７を室内側から室外側にかけて挿通可能に構成された２つの貫通穴５２ａ（２つのうち１つは図示省略）を備えている。２つの貫通穴５２ａどうしの間隔寸法は２６ｍｍである。２つの第２雄ネジ５７は、ネジ部の外径寸法が５ｍｍで形成されている。２つの第２雄ネジ５７は、第２錠箱本体部５２の第２キーシリンダ取付部５３を介してダミーシリンダ１１と螺合可能に構成された２つの雄ネジ部である。
【００５４】
ダミーシリンダ１１は、複数の螺合固定部１２ａ〜１２ｄのうち第２螺合固定部１２ｂが２つの第２雄ネジ５７と螺合されることで、第２キーシリンダ取付部５３に取付けられる。つまり、図４におけるダミーシリンダ１１の取付形態は、アタッチメントを用いることなく、２つの第２雄ネジ５７を用いて第２キーシリンダ取付部５３に取り付けられる取付形態である。
【００５５】
このように、ダミーシリンダ１１は、第１実施形態の電子式ドアロック装置２０のみならず、第２実施形態の第２電子式ドアロック装置５０にも取付可能に構成されている。
（２）ダミーシリンダ１１の用途は、上述のような電子式ドアロック装置への設置に限られることはなく、例えば、図５に示す機械式ドアロック装置６０に適用する場合のように、室外側からの施錠操作および解錠操作を禁止する用途であってもよい。
【００５６】
機械式ドアロック装置６０は、ダミーシリンダ１１，第３錠箱６１、室外側ハンドル３３、室内側ハンドル３４、サムターン６５を備える。
第３錠箱６１は、第３錠箱本体部６２と、２つの第３雄ネジ６３と、を備える。第３錠箱本体部６２は、扉３１の内部に配置される。第３錠箱本体部６２は、室外側に設けられるキーシリンダ取付部（図示省略）と、室内側に設けられるサムターン取付部６４と、を備える。サムターン取付部６４は、第３錠箱本体部６２のうち、扉３１に設けられた室内側開口部３７に対応する位置に形成されている。
【００５７】
第３錠箱本体部６２は、キーシリンダ取付部およびサムターン取付部６４において、２つの第３雄ネジ６３を室内側から室外側にかけて挿通可能に構成された２つの貫通穴（図示省略）を備えている。２つの貫通穴どうしの間隔寸法は２１ｍｍである。
【００５８】
サムターン６５は、２つの貫通穴６５ａ（２つのうち１つは図示省略）を備える。２つの貫通穴６５ａどうしの間隔寸法は２１ｍｍである。
２つの第３雄ネジ６３は、ネジ部の外径寸法が５ｍｍで形成されている。つまり、２つの第３雄ネジ６３は、サムターン６５，第３錠箱本体部６２のサムターン取付部６４，キーシリンダ取付部（図示省略）を介してダミーシリンダ１１と螺合可能に構成された２つの雄ネジ部である。
【００５９】
ダミーシリンダ１１は、複数の螺合固定部１２ａ〜１２ｄのうち第３螺合固定部１２ｃが２つの第３雄ネジ６３と螺合されることで、第３錠箱６１のキーシリンダ取付部に取付けられる。つまり、図５におけるダミーシリンダ１１の取付形態は、２つの第３雄ネジ６３を用いて第３錠箱６１のキーシリンダ取付部に取り付けられる取付形態である。
【００６０】
このように、ダミーシリンダ１１は、第１実施形態の電子式ドアロック装置２０およびＤ２実施形態の第２電子式ドアロック装置５０のみならず、第３実施形態の機械式ドアロック装置６０にも取付可能に構成されている。
【００６１】
また、図５のダミーシリンダ１１は、下底１１ａで開口する空洞部１４を備えていない。このダミーシリンダ１１は、上底１１ｂからドリルなどで穴開けする場合に、穴開けに要する時間が長くなり、空き巣などの被害を低減できる。
【００６２】
なお、機械式ドアロック装置６０は、室外側からの施錠操作および解錠操作が可能な状態で使用する場合には、キーシリンダ６７を備えて構成される。キーシリンダ６７は、適正なキーを差し込むことで回動可能に構成されている。キーシリンダ６７は、２つの第３雄ネジ６３に螺合可能な２つの雌ネジ６７ａを備える。キーシリンダ６７は、２つの雌ネジ６７ａが２つの第３雄ネジ６３と螺合することで、第３錠箱６１のキーシリンダ取付部に取り付けられる。つまり、機械式ドアロック装置６０は、ダミーシリンダ１１が取り付けられる前には、第３錠箱６１のキーシリンダ取付部に取り付けられるキーシリンダ６７を取付可能に構成されている。
【００６３】
以上のように、機械式ドアロック装置６０において、既存のキーシリンダ６７に代えてダミーシリンダ１１を設置することで、室外側からの施錠操作および解錠操作を禁止することができる。
【００６４】
このように、ダミーシリンダ１１は、第１実施形態の電子式ドアロック装置２０および第２実施形態の第２電子式ドアロック装置５０のみならず、第３実施形態の機械式ドアロック装置６０にも取付可能に構成されている。
【００６５】
（３）上記実施形態のダミーシリンダ１１は、複数の螺合固定部として、４つの螺合固定部１２ａ〜１２ｄを備えているが、本開示のダミーシリンダは、このような構成に限られることはない。例えば、複数の螺合固定部として、３つの螺合固定部を備える構成であってもよい。その場合のダミーシリンダは、例えば、図２に示す４つの螺合固定部１２ａ〜１２ｄのうちいずれか１つが削除された構成であってもよい。あるいは、その場合のダミーシリンダは、３つの螺合固定部が、それぞれ、円形中心部１１ａ１を中心とする周方向において６０度ずつ配置位置が異なるように配置された構成であってもよい。
【００６６】
（４）上記実施形態における各種数値（雌ネジ部どうしの間隔寸法、雌ネジ部の谷部の内径寸法、下底の直径など）は、あくまで一例であり、ダミーシリンダの用途や使用状況などに応じた任意の数値を採ることができる。例えば、上記実施形態では、下底１１ａの直径Ｌ１がＬ１＝４０ｍｍであるが、本開示のダミーシリンダにおける下底の直径は、３５ｍｍ〜４８ｍｍの範囲内で任意の値を採ることができる。上記実施形態では、上底１１ｂの直径Ｌ２がＬ２＝３５ｍｍであるが、本開示のダミーシリンダにおける上底の直径は、３５ｍｍ〜４８ｍｍの範囲内で任意の値を採ることができる。上記実施形態では、下底１１ａから上底１１ｂまでの厚さ寸法Ｈ１がＨ１＝１５ｍｍであるが、本開示のダミーシリンダにおける下底から上底までの厚さ寸法は、１０ｍｍ〜３３ｍｍの範囲内で任意の値を採ることができる。
【００６７】
また、上記実施形態では、上底および下底を備える円錐台形状のダミーシリンダについて説明したが、本開示のダミーシリンダは、上底および下底を備える円柱形状に形成されてもよい。つまり、本開示のダミーシリンダは、上底および下底の直径寸法が同一値となる円柱形状であってもよい。
【００６８】
（５）次に、上記実施形態における１つの構成要素が有する機能を複数の構成要素に分担させたり、複数の構成要素が有する機能を１つの構成要素に発揮させたりしてもよい。また、上記実施形態の構成の一部を、省略してもよい。また、上記実施形態の構成の少なくとも一部を、他の実施形態の構成に対して付加、置換等してもよい。なお、実用新案登録請求の範囲に記載の文言から特定される技術思想に含まれるあらゆる態様が本開示の実施形態である。
【符号の説明】
【００６９】
１１…ダミーシリンダ、１１ａ…下底、１１ａ１…円形中心部、１１ｂ…上底、１２ａ，１２ｂ，１２ｃ，１２ｄ…螺合固定部、１２ａ１，１２ａ２，１２ｂ１，１２ｂ２，１２ｃ１，１２ｃ２，１２ｄ１，１２ｄ２…雌ネジ部、１４…空洞部、２０…電子式ドアロック装置、２１…錠箱、２３…キーシリンダ取付部、２５…アタッチメント、２７…雄ネジ、５０…第２電子式ドアロック装置、５１…第２錠箱、５３…第２キーシリンダ取付部、５７…第２雄ネジ、６０…機械式ドアロック装置、６１…第３錠箱、６３…第３雄ネジ、６４…サムターン取付部、６５…サムターン。
【図１】
0003222562.tif 000003
【図２】
0003222562.tif 000004
【図３】
0003222562.tif 000005
【図４】
0003222562.tif 000006
【図５】
0003222562.tif 000007